(57)【要約】    【課題】よりコンパクトであり、かつコストの低減を図ることができる防煙用防護装置を提供する。    【解決手段】防煙用防護装置において、防護装置本体１と、この防護装置本体１から延びるテレスコープ型ノズル２と、このテレスコープ型ノズル２の先端部に配置される開閉弁３とを具備する。【選択図】図１
2005205062.tif 000002
【特許請求の範囲】
【請求項１】
（ａ）防護装置本体と、
（ｂ）該防護装置本体から延びるテレスコープ型ノズルと、
（ｃ）該テレスコープ型ノズルの先端部に配置される開閉弁とを具備することを特徴とする防煙用防護装置。
【請求項２】
（ａ）防護装置本体と、
（ｂ）該防護装置本体から延びるテレスコープ型ノズルと、
（ｃ）該テレスコープ型ノズルの先端部に配置される開閉弁と、
（ｄ）前記防護装置本体から上方に連結される目の防護装置を具備することを特徴とする防煙用防護装置。
【請求項３】
請求項１又は２記載の防煙用防護装置において、前記テレスコープ型ノズルが防湿性の紙製部材からなることを特徴とする防煙用防護装置。
【請求項４】
請求項２記載の防煙用防護装置において、前記目の防護装置は目の回りに接着させるフレームと該フレームに張られる透明なプラスチック膜からなることを特徴とする防煙用防護装置。
【請求項５】
請求項４記載の防煙用防護装置において、前記フレームは目の回りに接着させるために一方の面に接着材が塗布された帯状体からなり、前記接着材によって前記フレームに接着され、着用時には剥がすことができる剥離紙を有することを特徴とする防煙用防護装置。
【発明の詳細な説明】
【技術分野】
【０００１】
本発明は、閉じられた空間における火災時の防煙用防護装置に関するものである。
【背景技術】
【０００２】
従来より、地下鉄の構内やビルや家屋内などの閉じられた空間において火災が発生したような場合に、素早く装着して緊急避難するための防護装置が求められている。
【０００３】
例えば、従来の防煙マスクとしては、マスク本体に吸気専用弁と排気専用弁と吸気専用弁に連なる吸気パイプを備え、その吸気パイプが、不使用時には短尺に収縮させることができ、使用時には略身長の長さに伸長させることができる、伸縮自在のパイプからなるものが提案されている（下記特許文献１）。
【特許文献１】特開平８−６６４８５号公報
【発明の開示】
【発明が解決しようとする課題】
【０００４】
しかしながら、上記した従来の防煙マスクは構成が複雑である上に、コンパクトにできないといった問題があった。
【０００５】
特に、地下鉄の構内に備えるような場合には、かかる防煙マスクが構内にいる者全員に行き渡るようにするためには、数多くの防煙マスクを常備しておく必要がある。そのため、コンパクトで保管場所が小さくて済む必要があるとともに、構成を簡便にして、コストの低減を図る必要がある。
【０００６】
本発明は、上記状況に鑑みて、よりコンパクトであり、かつコストの低減を図ることができる防煙用防護装置を提供することを目的とする。
【課題を解決するための手段】
【０００７】
本発明は、上記目的を達成するために、
〔１〕防煙用防護装置において、防護装置本体と、この防護装置本体から延びるテレスコープ型ノズルと、このテレスコープ型ノズルの先端部に配置される開閉弁とを具備することを特徴とする。
【０００８】
〔２〕防煙用防護装置において、防護装置本体と、この防護装置本体から延びるテレスコープ型ノズルと、このテレスコープ型ノズルの先端部に配置される開閉弁と、前記防護装置本体から上方に連結される目の防護装置を具備することを特徴とする。
【０００９】
〔３〕上記〔１〕又は〔２〕記載の防煙用防護装置において、前記テレスコープ型ノズルが防湿性の紙製部材からなることを特徴とする。
【００１０】
〔４〕上記〔２〕記載の防煙用防護装置において、前記目の防護装置は目の回りに接着させるフレームとこのフレームに張られる透明なプラスチック膜からなることを特徴とする。
【００１１】
〔５〕上記〔４〕記載の防煙用防護装置において、前記フレームは目の回りに接着させるために一方の面に接着材が塗布された帯状体からなり、収納時には前記接着材によって前記フレームに接着され、着用時には剥がすことができる剥離紙を有することを特徴とする。
【発明の効果】
【００１２】
本発明によれば、次のような効果を奏することができる。
【００１３】
（１）テレスコープ型ノズル構成であるためコンパクトに収納することができ、さらに、そのテレスコープ型ノズルが伸長されることによって画成される空間における空気のみで、緊急避難を行うことができようにしているため、簡便な構成とすることができる。
【００１４】
（２）更に、防護装置本体から上方に連結され目の防護装置を備えるようにしているため、煙による目へのダメージを回避することができ、避難を容易にすることができる。
【００１５】
（３）テレスコープ型ノズルは防湿性の紙製部材からなるため、保存性を高めるとともに軽量でしかもコストの低減を図ることができる。
【００１６】
（４）目の防護装置は目の回りに接着させるフレームと透明なプラスチック膜からなるため、格別のコスト上昇をもたらすことはない。
【００１７】
（５）その上、目の防護装置のフレームは目の回りに接着させるために一方の面に接着材が塗布された帯状体からなり、前記接着材によってフレームに接着され、着用時には剥がすことができる剥離紙を有するため、収納が容易であるとともに、保守が容易である。
【発明を実施するための最良の形態】
【００１８】
防護装置本体から延びるテレスコープ型ノズル構成であるためコンパクトに収納することができ、そのテレスコープ型ノズルが伸長されることによって画成される空間における空気のみで、緊急避難を行うことができようにしているため、簡便な構成とすることができる。
【００１９】
以下、本発明の実施の形態について詳細に説明する。
【実施例１】
【００２０】
図１は本発明の第１実施例を示すノズルの伸長時の防煙用防護装置の斜視図、図２は図１の防煙用防護装置の断面図、図３はそのノズルの縮小（収納）時の防煙用防護装置の斜視図、図４は図３の防煙用防護装置の断面図、図５はその防煙用防護装置の着用状態を示す模式図である。
【００２１】
これらの図において、１は防護装置本体、２はその防護装置本体１に設けられるテレスコープ型ノズル、３はそのテレスコープ型ノズル２の先端部に配置される開閉弁、４は煙である。
【００２２】
ここで、防護装置本体１は合成樹脂素材で成形することができ、その中央部にテレスコープ型ノズル２を形成するようにしている。このテレスコープ型ノズル２は、基台部２Ａに基部２Ｂが嵌合され、入れ子型の円筒体２Ｃが基台部２Ａ内で防護装置本体１に取り付けられるようになっており、図４に示すように、入れ子型の円筒体２Ｃの収納時には、基台部２Ａ及び基部２Ｂの内部に縮小されて納まるように構成されている。
【００２３】
そこで、この防護装置を着用する場合には、まず、入れ子型の円筒体２Ｃが収納された状態でテレスコープ型ノズル２の先端の開閉弁３を開き、次に、その開閉弁３をを持って、入れ子型の円筒体２Ｃを引き延ばし、テレスコープ型ノズル２の先端が足元にくるような適当な長さに調節して、防護装置本体１で口元を隙間なく覆うようにする。
【００２４】
このように構成したので、図５に示すように、地下鉄構内などに煙４が充満する場合でも、煙のもつ上昇する性質からして足元は比較的清浄な空気である場合が多いため、テレスコープ型ノズル２の先端の開閉弁３を開いた状態でテレスコープ型ノズル２を足元まで引き伸ばして使用すれば、立った姿勢のまま清浄な空気を呼吸することができ、素早い避難行動が可能となる。また、足元まで煙が充満してきた場合には、今度はテレスコープ型ノズル２の先端の開閉弁３を閉じて、テレスコープ型ノズル２と防護装置本体１で画成される空間の空気を利用して緊急避難を続けることができる。
【００２５】
このように、テレスコープ型ノズル２の先端の開閉弁３はその緊急避難時の状況にしたがって、開いたままにしておくか、閉じるようにするかを選択することができる。
【００２６】
なお、防護装置本体１は利用者の口の回りに対応する個所に接着剤を塗布しておき、未使用時には剥離紙（図示なし）でカバーし、着用時に剥離紙を剥がして利用者の口の回りに接着させる方式にすると、製品をよりコンパクトに構成することができる。当然ながら、通常のマスクのように紐で固定するようにしてもよい。
【００２７】
また、テレスコープ型ノズル２は、防湿用の紙製部材を用いることで保存性を高めるとともに、湿気に強く、軽量でしかもコストの低減を図ることができる。
【実施例２】
【００２８】
図６は本発明の第２実施例を示す防煙用防護装置の目の防護装置の斜視図、図７はその目の防護装置の構成図、図８はその目の防護装置の着用時の模式図、図９は本発明の第２実施例を示す防煙用防護装置の着用状態を示す模式図である。
【００２９】
これらの図において、１１は目の防護装置であり、１２はその目の防護装置１１と防護装置本体１とを連結する弾性的な連結部材、１３はその連結部材１２の先端に設けられるフレーム、１４はそのフレーム１３に設けられる透明のプラスチック膜などである。
【００３０】
ここで、フレーム１３の裏面には接着材が塗布されており、目の縁に目の防護装置１１を接着させることができるようになっている。そして、目の防護装置１１を用いる場合には、防護装置本体１を着用した後に、図７に示すようにフレーム１３の裏の剥離紙１５を剥がして目の回りにフレーム１３を貼り付けて固定するようにしている。
【００３１】
そして、目の防護装置１１は弾性的な連結部材１２によって防護装置本体１に設けられているために、この目の防護装置１１を使用するかしないかは着用者が選択することができる。また、着用する場合にも、弾性的な連結部材１２で連結されているため、利用者の目の位置に適合させて目の回りに目の防護装置１１をスムーズに違和感なく貼り付けることができる。なお、人の目の形状には凹凸があるため、目の防護装置１１は平面的なメガネ形状ではなく、立体的なゴーグル形状にすることが望ましい。
【００３２】
このように、目の防護装置１１を設けることにより、煙１６がたちこめる中でも、目が煙によってダメージを受けることがなくなるので、視覚を確保しながら避難を確実に行うことができる。
【００３３】
なお、本発明は上記実施例に限定されるものではなく、本発明の趣旨に基づき種々の変形が可能であり、これらを本発明の範囲から排除するものではない。
【産業上の利用可能性】
【００３４】
本発明の防煙用防護装置は、地下鉄やビルの火災時における避難のための装置として好適である。
【図面の簡単な説明】
【００３５】
【図１】本発明の第１実施例を示すノズルの伸長時の防煙用防護装置の斜視図である。
【図２】図１の防煙用防護装置の断面図である。
【図３】本発明の第１実施例を示す縮小（収納）時の防煙用防護装置の斜視図である。
【図４】図３の防煙用防護装置の断面図である。
【図５】本発明の第１実施例を示す防煙用防護装置の着用状態を示す模式図である。
【図６】本発明の第２実施例を示す防煙用防護装置の目の防護装置の斜視図である。
【図７】本発明の第２実施例を示す防煙用防護装置の目の防護装置の構成図である。
【図８】本発明の第２実施例を示す防煙用防護装置の目の防護装置の着用時の模式図である。
【図９】本発明の第２実施例を示す防煙用防護装置の着用状態を示す模式図である。
【符号の説明】
【００３６】
１    防護装置の本体
２    テレスコープ型ノズル
２Ａ    基台部
２Ｂ    基部
２Ｃ    入れ子型の円筒体
３    テレスコープ型ノズルの先端部に配置される開閉弁
４，１６    煙
１１    目の防護装置
１２    連結部材
１３    フレーム
１４    透明のプラスチック膜
１５    剥離紙
【図１】
2005205062.tif 000003
【図２】
2005205062.tif 000004
【図３】
2005205062.tif 000005
【図４】
2005205062.tif 000006
【図５】
2005205062.tif 000007
【図６】
2005205062.tif 000008
【図７】
2005205062.tif 000009
【図８】
2005205062.tif 000010
【図９】
2005205062.tif 000011